(57)【要約】【課題】  製造誤差による影響を受け難く、ガイドレール及びガイドレールに取り付けられる器具の自重を保持するのに適切な長手方向保持力を有し、且つガイドレール前後方向及びレールゲージ方向の動きを規制するエレベーター装置を提供する。【解決手段】  本発明に係るエレベーター装置１は、昇降路２と、昇降体３と、ガイドレール４と、ブラケット８と、ガイドレール支持具９とを備え、ガイドレール支持具９は、ブラケット接触面９１と、第一折り返し部９２と、第一折り返し面９３と、第二折り返し部９４と、第二折り返し面９５と、ガイドレールフランジ上面接触部９６と、ボルト１０と、保持力調整ボルト１２を有することを特徴とする。【選択図】図５
2016155628.tif 000002
【特許請求の範囲】
【請求項１】
昇降路と、前記昇降路内を昇降する昇降体と、前記昇降体の昇降を案内するガイドレールと、前記ガイドレールを支持するブラケットと、前記ブラケットに固定され前記ガイドレールを把持するガイドレール支持具と、を備えたエレベーター装置において、
前記ガイドレール支持具は、前記ブラケットに接触するブラケット接触面と、前記ブラケット接触面から折り返されガイドレールフランジ側面と接触してガイドレール前後方向の自由度を規制する第一折り返し部と、前記第一折り返し部から伸びる第一折り返し面と、前記第一折り返し面から折り返される第二折り返し部と、前記第二折り返し部から伸びる第二折り返し面と、前記第二折り返し面から伸びてガイドレールフランジ上面と接触して前記ガイドレールレールゲージ方向の自由度を規制するガイドレールフランジ上面接触部と、前記ブラケットと前記ブラケット接触面を接合するボルトと、前記ブラケットと前記ブラケット接触面を接合し且つ前記第二折り返し部を押圧する保持力調整ボルト、を有することを特徴とするエレベーター装置。
【請求項２】
請求項１において、前記第二折り返し部を押圧する前記保持力調整ボルトは、締め付けトルクを調整することで前記第二折り返し部に対する押圧力を調整し、前記ガイドレールフランジ上面接触部から前記ガイドレールフランジ上面に対するガイドレールレールゲージ方向押圧力及び前記ガイドレール長手方向への保持力を調整することを特徴とするエレベーター装置。
【請求項３】
請求項１に記載のエレベーター装置において、前記ガイドレール支持具は前記第一折り返し部が前記ガイドレールフランジ側面と接触することで前記ガイドレールの前後方向の動きを規制しながら前記ガイドレールを把持することを特徴とするエレベーター装置。
【請求項４】
請求項１に記載のエレベーター装置において、前記ガイドレールフランジ上面と前記ガイドレールフランジ上面接触部の間にすべり材を挟み、摩擦係数や前記ガイドレールフランジ上面から前記ガイドレールフランジ上面接触部までの距離の調整を可能としたことを特徴とするエレベーター装置。
【請求項５】
請求項４に記載のエレベーター装置において、前記すべり材は前記ガイドレールフランジ上面接触部から所定の押圧力を受けることで変形することを特徴とするエレベーター装置。
【請求項６】
請求項１に記載のエレベーター装置において、前記ガイドレールフランジ側面と前記第一折り返し部の間にすべり材を挟み、摩擦係数や前記ガイドレールフランジ側面から前記第一折り返し部までの距離の調整を可能としたことを特徴とするエレベーター装置。
【請求項７】
請求項６に記載のエレベーター装置において、前記ガイドレールフランジ側面すべり材は折り曲げ部を有し、前記ガイドレール支持具に前記折り曲げ部を引っ掛けることを特徴とするエレベーター装置。
【請求項８】
請求項１に記載のエレベーター装置において、前記第二折り返し部、または前記第二折り返し面と、前記レールブラケット、または前記ブラケット接触面に穴を設け、前記ボルトや前記第二折り返し部を覆うように番線を張ることを可能としたエレベーター装置。
【発明の詳細な説明】
【技術分野】
【０００１】
本発明は、エレベーター装置、特にエレベーターの昇降路内に設置された、ガイドレールの支持構造の改良に関するものである。
【背景技術】
【０００２】
エレベーター昇降路内において、ガイドレールを支持する支持具には、ガイドレールを強固に保持する支持具、建築物に対しガイドレールが長手方向に変位した際にガイドレールと支持具がすべるようにガイドレールを保持する力を抑制した支持具、ガイドレールを保持せずガイドレールの水平方向変位を規制することを目的とする支持具（特開２００３−３００６８２、特開２００５−５３６３８）、などがある。本発明は、ガイドレールを保持する力を抑制した支持具に関する発明であるため、以降はガイドレール支持具とは、ガイドレールを保持する力を抑制した支持具を指す。
【０００３】
ガイドレール支持具がガイドレール及びガイドレールに取り付けられる器具の自重を保持できる保持力を有すると、各ガイドレール支持具で自重を分散して保持できるので、自重による荷重が一点に集中しないという利点がある。しかし、ガイドレール支持具が自重よりも大きな保持力を有すると、日射や建築物の経年的な縮みによるガイドレール長手方向変位が発生した際に、ガイドレール支持具がガイドレールに長手方向圧縮加重を負荷することとなる。ガイドレールに負荷する圧縮加重が大きいとガイドレールに撓みを発生させる要因となり、乗り心地性能に影響を与える可能性がある。そのため、ガイドレール支持具は長手方向に対し、ガイドレールを支持するために必要な保持力だけを有することが望まれる。また、ガイドレールの前後方向（ガイドレールをＴ字状断面として見立てたときのガイドレールとレールブラケットの接触面に対し平行な方向、以下同じ）の変位を規制するため、ガイドレール支持具はガイドレールフランジ側面に接触して取り付けられることが望ましい。尚、本明細書においては図１に示すように、ガイドレール断面に対する各方向を定義して説明を行う。
【０００４】
従来のエレベーターガイドレール支持具には、ガイドレールに長手方向変位が発生した際にガイドレールに圧縮荷重を負荷させないよう、ガイドレール支持具とガイドレールにすべりを生じさせるため、ガイドレールフランジ上面と接触する部分の撓みに比例した保持力を発生させるガイドレール支持具（図６右部）が広く使用されている。
【先行技術文献】
【特許文献】
【０００５】
【特許文献１】特開２００３−３００６８２（請求項１，第２図）
【特許文献２】特開２００５−５３６３８（請求項１，第２図）
【発明の概要】
【発明が解決しようとする課題】
【０００６】
ガイドレール支持具には、長手方向に対して自重を保持できる保持力を有し、且つ前後方向、レールゲージ方向（ガイドレールをＴ字状断面として見立てたときのレールとレールブラケットの接触面に対し垂直な方向、以下同じ）の動きを規制するためレールフランジ側面、レールフランジ上面に接触して取り付けられることが望まれる。
【０００７】
従来のガイドレール支持具は、撓み量と比例した保持力を発生させることから、ガイドレール支持具の設計によって保持力を定めることができる。しかし、ガイドレール支持具やガイドレールの製造誤差により、ガイドレール支持具の撓み量に誤差が生じてしまう。そのため、確実にガイドレール及びガイドレールに取り付けられる器具の自重を保持できるよう、従来ガイドレール支持具の設計保持力には予め裕度を設ける必要があり、結果として必要最小限以上の保持力を有することになる。
【０００８】
特許文献１に示す従来技術では、ガイドレール長手方向には転動子を設けているため、ガイドレール及びガイドレールに取り付けられる器具の自重を保持しない。特許文献２に示す従来技術も同様に、このガイドレール支持具だけではガイドレール及びガイドレールに取り付けられる器具の自重を保持しない。そのため、これらを使用の際には別途自重を保持できるガイドレール支持具を使用する必要がある。
【０００９】
本発明の目的は、製造誤差による影響を受け難く、ガイドレール及びガイドレールに取り付けられる器具の自重を保持するのに適切な長手方向保持力を有し、且つガイドレール前後方向及びレールゲージ方向の動きを規制するエレベーター装置を提供することである。
【課題を解決するための手段】
【００１０】
上記目的を達成するために、本発明に係るエレベーター装置は、昇降路と、前記昇降路内を昇降する昇降体と、前記昇降体の昇降を案内するガイドレールと、前記ガイドレールを支持するブラケットと、前記ブラケットに固定され前記ガイドレールを把持するガイドレール支持具と、を備えたエレベーター装置において、前記ガイドレール支持具は、前記ブラケットに接触するブラケット接触面と、前記ブラケット接触面から折り返されガイドレールフランジ側面と接触してガイドレール前後方向の自由度を規制する第一折り返し部と、前記第一折り返し部から伸びる第一折り返し面と、前記第一折り返し面から折り返される第二折り返し部と、前記第二折り返し部から伸びる第二折り返し面と、前記第二折り返し面から伸びてガイドレールフランジ上面と接触して前記ガイドレールレールゲージ方向の自由度を規制するガイドレールフランジ上面接触部と、前記ブラケットと前記ブラケット接触面を接合するボルトと、前記ブラケットと前記ブラケット接触面を接合し且つ前記第二折り返し部を押圧する保持力調整ボルト、を有することを特徴とする。
【発明の効果】
【００１１】
本発明によれば、製造誤差による影響を受け難く、ガイドレール及びガイドレールに取り付けられる器具の自重を保持するのに適切な長手方向保持力を有し、且つガイドレール前後方向及びレールゲージ方向の動きを規制するエレベーター装置を提供することができる。
【図面の簡単な説明】
【００１２】
【図１】ガイドレール部位を明確にし、ガイドレール断面に対する各方向を定義するための図である。
【図２】本実施例におけるエレベーター装置の概略を示す構成図である。
【図３】本実施例における取付部正面の概略を示す構成図である。
【図４】本実施例における取付部側面の概略を示す構成図である。
【図５】本実施例における取付部構造の詳細を示す構造図である。
【図６】本実施例の取付部及び従来技術の取付部の取付断面図と、取付時の力の釣り合いを示す構成図である。
【図７】本実施例における取り付けられたガイドレール断面図を示す構成図である。
【図８】本実施例における取り付けられたガイドレール正面図を示す構成図である。
【図９】本実施例における構造詳細を示すすべり材の構造を説明するための正面図、上面図である。
【図１０】本実施例におけるガイドレール取付部分を示す斜視図である。
【発明を実施するための形態】
【００１３】
以下、本発明の実施例を、図面を用いて説明する。
【００１４】
図１は、ガイドレール４についてガイドレールフランジ側面４１とガイドレールフランジ上面４２を明確にし、且つガイドレール断面に対する各方向を定義するための図である。
【００１５】
図２は、本発明の実施例におけるエレベーターの概略を示す構成図である。本実施例のエレベーター装置１は、建物内の昇降路２内において、昇降体３が、ガイドレール４に沿って昇降するように構成されている。尚、本実施形態では乗りかご３ａ、釣合おもり３ｂを総称して昇降体３と呼ぶ。また、昇降体３は、巻上機６、綱車７を介してメインロープ５でつるべ式に懸垂され、駆動される。尚、本発明は巻上機６やメインロープ５を用いないエレベーターにおいても、ガイドレール４を用いたエレベーター装置であれば実施可能である。
【００１６】
図３、図４は、ガイドレール４とレールブラケット８、ガイドレール支持具９の取付部の正面図、側面図である。ガイドレール支持具９はレールブラケット８にボルト１０、ナット１１により固定され、またガイドレール４はガイドレール支持具９によりレールブラケット８に押圧されることで、押圧力と摩擦係数に依存したガイドレール長手方向への保持力が発生し保持される。
【００１７】
図５は本実施例における取付部構造の詳細を示す構造図である。本エレベーター装置におけるガイドレール支持具９はレールブラケット８に接触するブラケット接触面９１と、ブラケット接触面９１から折り返されガイドレールフランジ側面４１と接触してガイドレール４の前後方向自由度を規制する第一折り返し部９２と、第一折り返し部９２から伸びる第一折り返し面９３と、第一折り返し面９３から折り返される第二折り返し部９４と、第二折り返し部９４から伸びる第二折り返し面９５と、第二折り返し面９５から伸びガイドレールフランジ上面４２と接触してガイドレール４のレールゲージ方向の自由度を規制するガイドレールフランジ上面接触部９６と、ブラケット８とブラケット接触面９１を接合するボルト１０と、ブラケット８とブラケット接触面９１を接合し且つ第二折り返し部９４を押圧することで、第一折り返し部９２がガイドレールフランジ側面４１を押圧する力とガイドレールフランジ上面接触部９６がガイドレールフランジ上面４２を押圧する力を調整して長手方向保持力を調整する保持力調整ボルト１２、を有する。保持力調整ボルト１２は保持力調整ボルト用ナット１３を３つ有し、うち２つはダブルナットとして用いられることで、保持力調整用ボルト１２が弛まないよう固定する。本発明によれば、ガイドレール４の前後方向の自由度、レールゲージ方向の自由度を規制し、且つガイドレール４への保持力が調節可能であることから、前後方向、レールゲージ方向に荷重発生時には前後方向、レールゲージ方向の動きを規制する性能を有し、さらにガイドレール４及びガイドレール４に取り付けられる器具（図示無し）の自重を保持できる上、ガイドレールレールゲージ方向の動きを規制する必要以上の大きな力がかからない適切な保持力とできるので、長手方向変位発生時はガイドレール４がすべるためガイドレール４に圧縮荷重による負荷がかかることを防止し、ガイドレール４が撓むことを防止する性能を有するエレベーター装置を提供できる。また、保持力調整ボルト１２によって保持力の調整が可能であるので、ガイドレール４やガイドレール支持具９の製造時に不規則に発生する寸法誤差によって保持力が影響されることがない。
【００１８】
図６に、本実施例であるガイドレール支持具９と従来ガイドレール支持具１４の取付箇所における、ガイドレール保持力として作用する力を示す。尚、ガイドレール支持具９とレールブラケット８の間に隙間が空かないよう、ガイドレール支持具９はレールブラケット８に保持力調整用ボルト１２と保持力調整ボルト用ナット１３ａ、１３ｂ、１３ｃによって接合されている。
【００１９】
ガイドレール支持具９では、保持力調整用ボルト１２を締め付けることによって支点ａ１、力点ａ、作用点ａ１による力の釣合が発生する。また、作用点ａ１はフランジ側面４１から反力を受けることで、支点として支点ａ２、力点ａ、作用点ａ２の新しい力の釣合を発生させる。作用点ａ１、作用点ａ２に働く力によって、ガイドレール前後方向、レールゲージ方向に向かって荷重が発生した時もガイドレール４の動きを規制する。また、作用点ａ２の押圧力によって発生するガイドレール長手方向の摩擦力が、ガイドレール４及びガイドレール４に取り付けられる器具（図示無し）の自重を保持する保持力となる。力点ａに働く力の大きさは調整可能であるため、保持力も調整可能である。
【００２０】
従来ガイドレール支持具１４は、従来ガイドレール支持具ボルト１５と従来ガイドレール支持具ナット１６によってレールブラケット８に押圧されることで、支点ｂ、力点ｂ、作用点ｂの力の釣合が発生する。作用点ｂの押圧力によって発生するガイドレール長手方向の摩擦力が、ガイドレール４及びガイドレール４に取り付けられる器具（図示無し）の自重を保持する保持力となる。
【００２１】
図７、図８に、ガイドレール支持具９とガイドレール４との間に取り付けるフランジ上面用すべり材１７、フランジ側面用すべり材１８の取付図を示す。フランジ上面用すべり材１７、フランジ側面用すべり材１８はガイドレール支持具９とガイドレール４との間に取り付けられることで、摩擦係数や、ガイドレールフランジ上面４２とガイドレールフランジ上面接触部９６の距離、ガイドレールフランジ側面４１と第一折り返し部９２の距離を調整することで、ガイドレール長手方向の保持力を調整する機能を有する。フランジ上面用すべり材１７はガイドレールフランジ上面接触部９６とガイドレールフランジ上面４２の間に挟み込まれ、一定以上の押圧力を受けることでフランジ上面用すべり材１７の中央部分のみが変形し、長手方向すべりが発生した際にもガイドレール支持具９から外れない構造となっている。フランジ側面用すべり材１８は第一折り返し部９２とガイドレールフランジ側面４１の間に挟み込まれる。フランジ側面用すべり材１８は薄鋼板を折り曲げた形状をしており、折り曲げた部分をガイドレール支持具９に引掛けることで、フランジ側面用すべり材１８が昇降路２下部に落下することを防止する。
【００２２】
図９に、フランジ上面用すべり材１７、フランジ側面用すべり材１８の正面図と上面図を示す。フランジ上面用すべり材１７は、長方形型の長辺の両端に切込みが設けられ、短辺方向から見たときに円弧状となる形状をしている。そして、一定以上の押圧力を受けることで切り込み間の中央部分のみが下方に円弧状に変形し、切り込みより外方の部分がガイドレールフランジ上面接触部９６に掛止め可能となり、長手方向すべりが発生した際にもガイドレール支持具９から外れない構造となっている。フランジ側面用すべり材１８は折り曲げた部分である折り曲げ部１８ａをガイドレール支持具９側面に引っ掛けることで、落下を防止する（図８参照）。落下を防止することで、ガイドレール４とガイドレール支持具９に長手方向すべりが発生した場合でも、フランジ上面用すべり材１７、フランジ側面用すべり材１８が外れることがないので、摩擦係数や保持力調整用ボルト１２の締め付け量を調整する機能を失うことがない。
【００２３】
図１０は、ガイドレール支持具９をガイドレール４に取付けた箇所を斜視した図である。図１０ではフランジ上面用すべり材１７を挟み込んでいる。また、ガイドレール支持具９に穴を設けることで、メインロープ５等昇降路内長尺物（図示無し）の引掛りを防止する番線１９を張ることを可能にしている。番線１９は、ボルト１０を覆うように、第二折り返し部９４、または第二折り返し面９５に設けられた穴から、レールブラケット８、またはブラケット接触面９１に設けられた穴をつなぐように張られる。これにより、長周期地震等により昇降路内長尺物が大きく振れた際に、長尺物がボルト１０や第二折り返し部９４に引掛ることを防止するため、ガイドレール支持具９の高行程エレベーターへの適用も可能としている。
【符号の説明】
【００２４】
１  エレベーター概略
２  昇降路
３  昇降体
４  ガイドレール
５  メインロープ
６  巻上機
７  綱車
８  レールブラケット
９  ガイドレール支持具
１０  ボルト
１１  ナット
１２  保持力調整ボルト
１３ａ  保持力調整ボルト用ナットａ
１３ｂ  保持力調整ボルト用ナットｂ
１３ｃ  保持力調整ボルト用ナットｃ
１４  従来ガイドレール支持具
１５  従来ガイドレール支持具用ボルト
１６  従来ガイドレール支持具用ナット
１７  フランジ上面用すべり材
１８  フランジ側面用すべり材
１８ａ  折り曲げ部
１９  番線
４１  ガイドレールフランジ側面
４２  ガイドレールフランジ上面
９１  ブラケット接触面
９２  第一折り返し部
９３  第一折り返し面
９４  第二折り返し部
９５  第二折り返し面
９６  ガイドレールフランジ上面接触部
【図１】
2016155628.tif 000003
【図２】
2016155628.tif 000004
【図３】
2016155628.tif 000005
【図４】
2016155628.tif 000006
【図５】
2016155628.tif 000007
【図６】
2016155628.tif 000008
【図７】
2016155628.tif 000009
【図８】
2016155628.tif 000010
【図９】
2016155628.tif 000011
【図１０】
2016155628.tif 000012